(57)【特許請求の範囲】
【請求項１】
視覚的情報が表示された第１面と、前記第１面と反対側の面である第２面とを有する表示板と、
少なくとも前記第１面又は前記第２面のいずれかの上に固定された振動デバイスと、を有し、
前記振動デバイスによって前記表示板が聴覚的情報を発する、情報発信装置であって、
前記第２面の上に固定された複数の補強部材をさらに有し、
前記振動デバイスは、前記第２面の上であって前記複数の補強部材の間に位置しており、
前記振動デバイスは、マグネット、トッププレート、ボイスコイル及び振動パッドがこの順で積層された構造を有する振動エキサイタであり、
前記トッププレートと前記振動パッドとの間には、複数のダンパークッションが設けられていることを特徴とする、前記情報発信装置。
【請求項２】
前記第１面には、案内、警戒、規則、指示、景観サイン、順路、避難路及び注意喚起を含む、交通に関する情報が表示されることを特徴とする、請求項１に記載の情報発信装置。
【請求項３】
前記第１面には、宣伝又は広告に関する情報が表示されることを特徴とする、請求項１に記載の情報発信装置。
【請求項４】
前記表示板は、防護柵、遮音壁、信号機及びカーブミラーを含む道路設備、電力柱、電信柱、共用柱を含む電信柱、街路灯、防犯灯、道路照明及びガス灯を含む街灯、又は手摺に、設置されることを特徴とする、請求項１に記載の情報発信装置。
【請求項５】
前記聴覚的情報は、前記視覚的情報と関連性を有する情報であることを特徴とする、請求項１に記載の情報発信装置。
【請求項６】
前記表示板は、金属からなることを特徴とする、請求項１に記載の情報発信装置。
【請求項７】
前記振動デバイスは、磁歪アクチュエータであることを特徴とする、請求項１に記載の情報発信装置。
【請求項８】
視覚的情報が表示された第１面と、前記第１面と反対側の面である第２面とを有する金属からなる表示板と、
前記第２面の上に固定された振動デバイスと、を有し、
前記振動デバイスによって前記表示板が聴覚的情報を発する、情報発信装置であって、
前記第２面の上に固定された複数の補強部材をさらに有し、
前記振動デバイスは、前記複数の補強部材の間に位置しており、
前記振動デバイスは、マグネット、トッププレート、ボイスコイル及び振動パッドがこの順で積層された構造を有する振動エキサイタであり、
前記トッププレートと前記振動パッドとの間には、複数のダンパークッションが設けられていることを特徴とする、前記情報発信装置。
【請求項９】
前記第１面には、案内、警戒、規則、指示、景観サイン、順路、避難路及び注意喚起を含む、交通に関する情報が表示されることを特徴とする、請求項８に記載の情報発信装置。
【請求項１０】
前記第１面には、宣伝又は広告に関する情報が表示されることを特徴とする、請求項８に記載の情報発信装置。
【請求項１１】
前記表示板は、防護柵、遮音壁、信号機及びカーブミラーを含む道路設備、電力柱、電信柱、共用柱を含む電信柱、街路灯、防犯灯、道路照明及びガス灯を含む街灯、又は手摺に、設置されることを特徴とする、請求項８に記載の情報発信装置。
【請求項１２】
前記聴覚的情報は、前記視覚的情報と関連性を有する情報であることを特徴とする、請求項８に記載の情報発信装置。
【請求項１３】
前記振動デバイスは、磁歪アクチュエータであることを特徴とする、請求項８に記載の情報発信装置。
【発明の詳細な説明】
【技術分野】
【０００１】
本発明は、標識、看板のように情報を発信する装置に関するものである。
【背景技術】
【０００２】
従来、例えば特許文献１、特許文献２及び特許文献３に記載されているように、交通標識等において、標識等に表示された視覚的な情報に加えて、音声などの聴覚的な情報も発生させることが提案されている。特に交通標識においては、視覚的情報に加えて音声等の聴覚的情報も発することにより、より効果的に付近の歩行者・自動車等に警告を発することが可能となる。
【０００３】
一方、例えば特許文献４に記載されているように、薄いシート状のスピーカーが存在する。このシート状のスピーカーとは、フィルムの両面に導電性高分子を塗布し、これらを電極として通電することで、その電気エネルギーをフィルムの振動エネルギーに変換して音声を発生させるものである。
【先行技術文献】
【特許文献】
【０００４】
【特許文献１】特開平１０−６０８３１
【特許文献２】特表２００８−５２９１７８
【特許文献３】特開２００９−２５２６５５
【特許文献４】特開２００５−１５７９４７
【発明の概要】
【発明が解決しようとする課題】
【０００５】
上記のような従来の交通標識等において、標識等による視覚的な情報に加えてどのように音声などの聴覚的な情報も発生させるかについて、特許文献１乃至３には具体的な構成が開示されていない。
【０００６】
この点、一般的に用いられるスピーカーを、標識等とは別に設けることが考えられる。しかし、スピーカーを交通標識が設置されるような屋外に設置するためには、防水・防風のためにスピーカー表面を保護する必要が生ずる。しかし、スピーカー表面を保護すると、音の発生の効率が下がり、音域が限られたものとなり、また、構造も複雑になる。さらに、当然ながらスピーカー設置のための空間も追加的に必要となる。
【０００７】
また、特許文献４に記載されたシート状のスピーカーを利用することも考えられる。例えば、標識等の裏面にシート状のスピーカーを貼り付けることである。しかしながら、フィルムを用いたシート状のスピーカーではエネルギー量が小さいため、大音量を出すことが難しい。このため、屋外で使用される場合が多い交通標識や広告・宣伝のための看板等と共に用いられる場合においては、シート状のスピーカーは不向きである。
【０００８】
そこで本発明は、交通標識や看板等の視覚的情報に加えて、スピーカーを別個に設置することなく十分な音量の聴覚的情報をも発信することが可能な情報発信装置を提供することを目的とする。
【課題を解決するための手段】
【０００９】
上記目的を達成するため、第１の観点による本発明に係る情報発信装置は、
視覚的情報が表示された第１面と、前記第１面と反対側の面である第２面とを有する表示板と、
少なくとも前記第１面又は前記第２面のいずれかの上に固定された振動デバイスと、を有し、
前記振動デバイスによって前記表示板が聴覚的情報を発するものである。
【００１０】
また、第２の観点による本発明に係る情報発信装置は、
視覚的情報が表示された第１面と、前記第１面と反対側の面である第２面とを有する金属からなる表示板と、
前記第２面の上に固定された振動デバイスと、を有し、
前記振動デバイスによって前記表示板が聴覚的情報を発するものである。
【発明の効果】
【００１１】
本発明に係る情報発信装置は、視覚的情報を表示する表示板の、少なくともいずれかの面の上に振動デバイスを固定することにより、表示板が聴覚的情報を発するものである。このため、交通標識や看板等の視覚的情報に加えて、スピーカーを別個に設置することなく十分な音量の聴覚的情報をも発信することが可能となる。
【図面の簡単な説明】
【００１２】
【図１】本発明に係る情報発信装置の一実施形態を正面側から見た図である。
【図２】本発明に係る情報発信装置の一実施形態を裏面側から見た図である。
【図３】本実施形態に係る情報発信装置において用いられる振動デバイスを示す斜視図である。
【図４】図３に示される振動デバイスが、本発明に係る情報発信装置を構成する表示板に取り付けられた状態を示す断面図である。
【発明を実施するための形態】
【００１３】
以下、本発明の実施の形態について、図面を参照して詳細に説明する。すなわち、図１は、本発明に係る情報発信装置の一実施形態を正面側から見た図である。図２は、本発明に係る情報発信装置の一実施形態を裏面側から見た図である。図３は、本実施形態に係る情報発信装置において用いられる振動デバイスを示す斜視図である。そして図４は、図３に示される振動デバイスが、本発明に係る情報発信装置を構成する表示板に取り付けられた状態を示す断面図である。
【００１４】
図１及び図２は、視覚的情報が表示された第１面２ａと、第１面２ａと反対側の面である第２面２ｂとを有する表示板２と、少なくとも第１面２ａ又は第２面２ｂのいずれかの上に固定された振動デバイス６ａ及び６ｂと、を有し、振動デバイス６ａ及び６ｂによって表示板２が聴覚的情報を発する、情報発信装置１を示している。
【００１５】
まず図１は、情報発信装置１を、表示板２の第１面２ａ側から見たものである。この例では、表示板２は道路の交通標識である。そしてその第１面２ａには「とまれ！逆走です」という文字情報と共に、手の平が自動車を止めているかのような図形情報が、視覚的に表示されている。さらに、アンプユニット３が示されている。
【００１６】
この例においては、表示板２の第１面２ａには交通の警戒に関する情報が表示されている。他の交通に関する情報の例としては、案内、規則、指示、景観サイン等の情報が挙げられる。また、ビルの中での順路、避難路、注意喚起等の情報も、屋内での交通に関する情報の一例である。こうした交通に関する情報が表示板２に表示されている場合、表示板２は交通標識として機能する。こうした交通に関する情報は、電子的に表示されていても構わない。なお、交通に関する情報が表示された表示板２は、防護柵、高速道路等の遮音壁、信号機、カーブミラー及び情報制御システム等の道路設備（交通安全付帯設備）や、電力柱、電信柱、共用柱等の電信柱、又は手摺等に、設置されていても良い。また同様に、交通に関する情報が表示された表示板２は、街路灯、防犯灯、道路照明及びガス灯のような街灯に設置されていても良い。
【００１７】
また、表示板２の第１面２ａには、宣伝又は広告に関する情報が表示されていても良い。こうした宣伝又は広告に関する情報が表示板２に表示されている場合、表示板２は看板として機能する。こうした宣伝又は広告に関する情報は、電子的に表示されていても構わない。なお、宣伝又は広告に関する情報が表示された表示板２は、電力柱、電信柱、共用柱等の電信柱や、街路灯、防犯灯、道路照明及びガス灯のような街灯、又は手摺等に、設置されていても良い。
【００１８】
次に図２は、情報発信装置１を、表示板２の第２面２ｂ側から見たものである。この例では、アンプユニット３が、複数（この例では２つ）の振動デバイスユニット６ａ及び６ｂと、ケーブル５を介して接続されている。振動デバイスユニット６ａ及び６ｂは、表示板２の第２面２ｂの上に固定されている。また、表示板２の第２面２ｂの上には、複数（この例では４つ）の補強部材４ａ乃至４ｄが固定されている。
【００１９】
この振動デバイスユニット６ａ及び６ｂは、それぞれ後述する振動デバイスを内蔵している。また、振動デバイスは、それぞれ表示板２の第２面２ｂの上に固定されている。このため、アンプユニット３によって作動された振動デバイスは、表示板２を振動させることができ、表示板２は音声等の聴覚的情報を発することができる。例えば、本実施形態においては、表示板２には「とまれ！逆走です」と表示されているため、同様に、「とまれ！逆走です」という音声（聴覚的情報）を、表示板２から発生させている。このように、この聴覚的情報は、表示板２によって表示された視覚的情報と関連性を有する情報であることが好ましい。なお、本実施形態では、表示板２に表示された文字情報と同じ内容の聴覚的情報を発生させているが、関連性を有する情報と言い得るためには必ずしも同じ内容である必要はない。例えば、本実施形態の表示板２の表示に対して、「この道路は一方通行です」という音声情報を発生させるような場合も、両者の関連性はある。
【００２０】
本実施形態において、表示板２はアルミニウム製である。但し、本発明において、表示板２は板状の部材であれば何でも良い。板状の部材であれば、振動デバイスによって十分な音量の聴覚的情報を発生させることができる。また、板状であれば、湾曲していてもかまわない。例えば、電力柱、電信柱、共用柱等の電信柱又は手摺等に取り付けられる広告や標識の場合、表示板２は電信柱の形状に沿って湾曲した形状になるが、そのような湾曲した表示板であっても構わない。また、表示板２が、防護柵、高速道路等の遮音壁、電信柱、手摺、又は街灯の一部を構成していても良い。例えば、手摺に警告が記載されており、その手摺自体が音声等の聴覚的情報を発する構成としても良い。表示板２は金属製であることが好ましい。金属製であれば、木製の場合と比較してより大音量の聴覚的情報を発生させることができるためである。また、金属製の方が、第１面２ａ上に視覚的情報を記載し、かつ長期間屋外に設置することも可能となる点で、より好ましい。さらに、表示板２の材料としてアルミニウムを用いれば、アルミニウムは、腐食しづらい点で屋外での設置に向いていることから、より好ましい。
【００２１】
このように、本実施形態における情報発信装置１は、交通標識や看板等の視覚的情報に加えて、スピーカーを別個に設置することなく十分な音量の聴覚的情報をも発信することが可能である。
【００２２】
また、本実施形態においては、補強部材４ａ及び４ｂの間、並びに補強部材４ｂ及び４ｃの間に、それぞれ振動デバイスユニット６ａ及び６ｂが位置している。このように振動デバイスユニット６ａ及び６ｂを配置することで、表示板２の第２面２ｂ上のデッドスペースを有効に利用し、表示板２の第１面又は第２面の面積を変えることなく聴覚的情報の発信を可能とできる。特に、本実施形態においては、振動デバイスユニット６ａ及び６ｂの第２面２ｂからの高さは、補強部材４ａ乃至４ｄの第２面２ｂからの高さよりも低い。このように構成することにより、表示板２と補強部材４ａ乃至４ｄの合計の厚みを変えることなく、聴覚的情報の発信を可能とできる。
【００２３】
次に、図３及び図４を参照して、本実施形態に係る情報発信装置１に用いられる振動デバイスを説明する。
【００２４】
上述したとおり、振動デバイスは、表示板２の第２面２ｂ上に配置された振動デバイスユニット６ａ及び６ｂの中に格納されている。
【００２５】
本実施形態においては、振動デバイスとして振動エキサイタ７が用いられている。振動エキサイタとは、コイルとマグネットを利用して振動を発生させることにより、それに接触する対象物から音を発生させることができる装置である。振動デバイス７としては、振動エキサイタのほかに、磁歪アクチュエータを用いても良い。磁歪アクチュエータは、外部から磁界をかけると形状が変化する磁歪素子を利用して振動を発生させることにより、それに接触する対象物から音を発生させることができる装置である。振動エキサイタは、比較的低い音を出すことに優れており、一方磁歪アクチュエータは、比較的高い音を出すことに優れている。このため、用途によって振動エキサイタと磁歪アクチュエータを使い分けることができる。あるいは、振動エキサイタと磁歪アクチュエータを両方使用しても良い。低音から高音まで十分な音量を出すことが可能となる。もちろん、振動デバイス７は振動エキサイタと磁歪アクチュエータに限られず、他の装置を使用しても良い。
【００２６】
図３に示すように、本実施形態における振動デバイス７は、ボトムヨーク８上に、マグネット９、トッププレート１０、ボイスコイル１１及び振動パッド１２が、この順で積層された構造を有する。また、ボトムヨーク８、マグネット９、トッププレート１０及び振動パッド１２は、いずれも略円形の形状である。トッププレート１０と振動パッド１２との間には、個片化された複数の矩形状のダンパークッション１３ａ〜１３ｈが設けられている。この例では、ダンパークッションの数は８個であり、個々のダンパークッション１３ａ〜１３ｈは略正方形の形状である。ダンパークッションを、トッププレート１０の外周に沿って、連続した環状にすることも可能であるが、本実施形態のように個片化されたダンパークッションを間隔を空けて複数配置した方が、振動エキサイタとしての特性が高まる。とりわけ、本実施形態におけるように表示板２が金属からなる場合には、個片化された複数のダンパークッションを用いた方が効率的に大音量を得ることができる。なお、本実施形態においては、ボトムヨーク８、マグネット９、トッププレート１０及び振動パッド１２は、いずれも略円形の形状であるが、その他の形状をとっても良い。また、ボトムヨーク８、マグネット９、トッププレート１０及び振動パッド１２の間、又はその上下に、その他の構成を有していても構わない。
【００２７】
図４は、振動エキサイタ７が、情報発信装置１を構成する表示板２に取り付けられた状態を示す断面図である。表示板２の第２面２ｂ上に、振動エキサイタ７の振動パッド１２が接着面１５を介して取り付けられている。すなわち、振動パッド１２は、表示板２の第２面２ｂに対して接着剤で接着されている。また、エキサイタ固定パネル１４が、振動エキサイタ７を表示板２に取り付けるべく、振動エキサイタ７のボトムヨーク８に接着面１５を介して取り付けられている。本実施形態においては、エキサイタ固定パネル１４は、振動エキサイタ７を表示板２と共に密封するように、取り付けられている。このためエキサイタ固定パネル１４は、振動エキサイタ７を表示板２に対して取り付ける機能のみならず、振動エキサイタ７を風雨から守る機能も有している。
【００２８】
以上のとおり、本発明の一実施形態を説明した。しかし、本発明の範疇において様々な変形を加えることが可能であることは、いうまでもない。
【符号の説明】
【００２９】
１  ・・・情報発信装置
２  ・・・表示板
２ａ  ・・・第1面
２ｂ  ・・・第２面
３  ・・・アンプユニット
４ａ〜４ｄ  ・・・補強部材
５  ・・・ケーブル
６ａ、６ｂ  ・・・振動デバイスユニット
７  ・・・振動エキサイタ（振動デバイス）
８  ・・・ボトムヨーク
９  ・・・マグネット
１０  ・・・トッププレート
１１  ・・・ボイスコイル
１２  ・・・振動パッド
１３ａ〜１３ｈ  ・・・ダンパークッション
１４  ・・・エキサイタ固定パネル
１５  ・・・接着面
【図１】
0006317201.tif 000002
【図２】
0006317201.tif 000003
【図３】
0006317201.tif 000004
【図４】
0006317201.tif 000005